(57)【特許請求の範囲】
【請求項１】
液晶ディスプレーの接合辺にエッジ表示ユニットが設けられ、前記エッジ表示ユニットに前記エッジ表示ユニットの表示面として光均一化層が設けられ、前記光均一化層を前記液晶ディスプレーの表示可能領域に合わせることでオリジナル入力ビデオ画像を表示し、
前記光均一化層の内側のエッジと外側のエッジに円弧が設けられることにより、ＬＥＤの表示画素が前記光均一化層の前記表示面で同輝度となり、前記光均一化層は、黒色、透明、薄型の長尺状光均一化構造体であり、
前記液晶ディスプレーの辺は、内層フレーム、外層フレームからなる複合構造であり、前記光均一化層の内側の底辺が内層フレームに接続され、前記光均一化層の外側辺が外層フレームに接続されることを特徴とするエッジ表示による液晶ディスプレーの接合辺消去装置。
【請求項２】
ＬＥＤフレキシブル回路は、対応する駆動・制御回路とつながるように、バックライトを含む液晶パネルの正面からその背面に引導され、前記ＬＥＤフレキシブル回路は、前記内層フレームと前記外層フレームとの間を介して液晶ディスプレーの背面に引導されることを特徴とする請求項１に記載のエッジ表示による液晶ディスプレーの接合辺消去装置。
【請求項３】
前記光均一化層の内側の底部に一定のピッチでピンが設けられ、前記内層フレームにスルーホールが等間隔で設けられ、前記ピンが前記スルーホールを貫通して、前記内層フレームに熱圧着されるように接続されることを特徴とする請求項１に記載のエッジ表示による液晶ディスプレーの接合辺消去装置。
【請求項４】
前記光均一化層の内層の頂部にストッパーが設けられ、該ストッパーは、前記ＬＥＤフレキシブル回路のＬＥＤと前記内層フレームとの相対位置を位置決めることを特徴とする請求項１に記載のエッジ表示による液晶ディスプレーの接合辺消去装置。
【請求項５】
前記光均一化層の外側の側面に凹溝が設けられることを特徴とする請求項１に記載のエッジ表示による液晶ディスプレーの接合辺消去装置。
【請求項６】
前記内層フレーム、前記ＬＥＤフレキシブル回路、及び前記外層フレームの厚さの合計最大外径サイズは、前記光均一化層の表示境界よりも小さいことを特徴とする請求項１に記載のエッジ表示による液晶ディスプレーの接合辺消去装置。
【請求項７】
前記外層フレームと前記凹溝とは、締め付けられるように接続されることを特徴とする請求項１に記載のエッジ表示による液晶ディスプレーの接合辺消去装置。
【請求項８】
前記内層フレーム、前記ＬＥＤフレキシブル回路、前記外層フレームのバックライトを含む液晶パネルにおける取り付け位置に同位スルーホールが設けられ、前記内層フレーム、前記光均一化層、前記ＬＥＤフレキシブル回路、前記外層フレームが前記同位スルーホール内に位置する固定ボルトによって前記バックライトを含む液晶パネルに固定されることを特徴とする請求項２に記載のエッジ表示による液晶ディスプレーの接合辺消去装置。
【請求項９】
前記ＬＥＤフレキシブル回路の背面は、前記内層フレームに密着することを特徴とする請求項２に記載のエッジ表示による液晶ディスプレーの接合辺消去装置。
【請求項１０】
前記ＬＥＤフレキシブル回路は、その導電領域が前記光均一化層により包まれて、絶縁状態となることを特徴とする請求項９に記載のエッジ表示による液晶ディスプレーの接合辺消去装置。
【発明の詳細な説明】
【技術分野】
【０００１】
本発明は、エッジ表示と液晶表示とを集積させて、集積された液晶ディスプレーを「全画面」、「広視野角」の「シームレス」表示システムにし、接合された液晶ディスプレーに「シームレス」の表示効果を達成させる案に関する。
【背景技術】
【０００２】
デジタルハイビジョン（２Ｋ）、スーパーハイビジョン（４Ｋ）の大画面表示は、ますます重要な役割を演じるようになっている。しかし、ディスプレーは、大画面となるように接合されると、映像無しの黒枠がでる。図１に、２（行）×２（列）の４つの液晶ディスプレーから接合された様子（接合後、対角線が１２０インチ）を示す。４つの切欠部及び十字形状（幅が黒枠と同様）つきの円形を２×２の接合ディスプレーの中心に入力（図２参照）した結果、４つの切欠部、十字形状及びその幅が黒枠と同様にビデオ画像が表示されない（図３参照）。入力信号が全部表示される場合、入力されたビデオ画像が「分かれ」て、黒枠の幅がビデオ画像の一部となるため、その結果は受けいれられない（図４参照）。そのため、映像無しの黒辺つきのディスプレーが接合されると、黒枠の幅は、入力ビデオのある画像を「代替」又は「占拠」する。これは、データ、曲線、軌跡、地図上のある点（全地球測位）等の何れの表示に対しても、致命的な欠陥である。
【０００３】
ただし、１２０インチ以上の一体型ディスプレーを製造するには、投資規模、生産設備、材料強度、歩留まり率、運送取り付け等の点で多くの障害があり、経済的でもない。８０〜１２０インチの一体型ディスプレーを製造する「単位面積あたりコスト」は、ディスプレー本体のサイズにつれて指数的に上昇するが、接合ディスプレーを採用すれば、コストは、接合のサイズにつれて線形的に増え、つまり「単位面積あたりコスト」は殆ど変わらない。
【０００４】
異なるタイプのディスプレーを接合に適用する場合、映像無しの黒枠の具体的な形態は、下記の通りである。
【０００５】
１．０．０ 液晶ディスプレー（ＬＣＤ）：
液晶は、現在最も広く使用され、既にデジタルスーパーハイビジョン（４Ｋ）を達成したディスプレーである。しかし、液晶ディスプレーｃの表示可能領域の周辺に信号経路のエッジが嵌め込まれ、このエッジには「映像無し」で、何も表示されない（単辺２〜４ｍｍ、接合された両辺４〜８ｍｍ）。このエッジが如何に狭くても、液晶ディスプレーが大画面に接合された後で、黒枠は避けられない（図５参照）。これらの黒枠を避けるために、「パッシブ」と「アクティブ」の２種類で処理する。
【０００６】
１．１．０ パッシブ型
パッシブ型は、主に、反射又は屈折の光学原理によって視覚で黒枠を「遮る」が、黒枠の占める幅の最初の入力ビデオを「再表示」できない。一般的に、下記の形態がある。
【０００７】
１．１．１ 反射
周辺が液晶ディスプレーｃに対して４５°となる反射鏡ｄを、液晶ディスプレーｃのもとの黒辺ａに被せて、液晶ディスプレーｃの表示可能領域の黒辺ａのエッジに近いビデオが４５°の反射鏡でｅとして「二重表示」されるようにし、黒枠を無くすような視覚効果となる（図６参照）。しかし、それは依然として最初の入力ビデオの４つの切欠部及び十字形状を表示できない（図７参照）。
【０００８】
１．１．２ 拡大（図８〜図１２参照）
ａ）透明材料ｆによって液晶ディスプレーと同サイズで一定厚さの材料を作って、もとの液晶ディスプレーｃに被せて、この透明材料ｆのエッジを厚さ方向に沿って、液晶ディスプレーｃの表示可能領域の周辺ビデオを拡大する役割のある「円弧」にする（図８参照）。
ｂ）直接透明「円弧」の弓柱ｈを作って、接合された液晶ディスプレーｃの接合黒辺ａに貼り付ける（図９参照）。
【０００９】
上記何れの形態でも、「円弧」の底辺Ａに垂直になって見る場合、「円弧」の液晶ディスプレーの表示可能領域の周辺ビデオに対する拡大作用によって、黒枠の一部を遮るの効果を果たす（図９、図１０参照）。
【００１０】
それに対し、「円弧」の底辺Ｂに垂直にならずに見る場合（図９参照）、「円弧」により、液晶ディスプレーの黒枠がより広く「拡大」され、この角度が増えるほど、黒枠の幅が広くなる。視角が３０°、４５°、６０°である場合について、それぞれ図１１、図１２、図１３を参照されたい。
【００１１】
数メートル、十数メートル、更により大きなサイズの液晶ディスプレーから接合された大画面については、表示領域の一つ一つも「垂直」になって見るのは、現実ではない。そのため、「反射」するように接合された大型な液晶ディスプレーを見る場合、「円弧」の底辺に垂直以外の表示領域に、もとの液晶ディスプレー「より広い」黒枠が現れ、下記の問題が発生することは明らかである。
ａ） 液晶ディスプレーの接合数及びサイズが制限される。
ｂ） 黒辺により「代替」又は「占拠」された最初のビデオ画像を「再表示」できない。
ｃ） 見る形態が制限される。
【００１２】
１．１．３ 光学拡大平板
光学拡大平板ｉは、光ファイバ伝送原理に基づいて、光入力層（底層）の画素ピッチを等距離で光出力層（頂層）に拡散して、底層と液晶ディスプレーｃの画素を一々対応させ、頂層では液晶黒辺ａを含む外径サイズまで拡散する（図１４参照）。
【００１３】
１．１．４ 白色
黒辺の黒色の視覚に対する「ショック」及び表示領域と黒色とのコントラストを避けるために、黒辺の黒色を「白色」又は「シルバーグレー」に変えて、このような「ショック」を緩和することができるが、最初の入力ビデオが黒色元素を表現する場合、「白色」の辺は、依然として視覚の「ショック」が発生する。
【００１４】
１．２．０ アクティブ型
アクティブ型は、黒枠により「代替」又は「占拠」されたビデオ画像を映像無しの黒辺幅面に「再表示」し、液晶ディスプレーの黒辺の幅面に「再表示」されたビデオ画像と、液晶ディスプレーの表示可能領域に表示されたビデオ画像と、を最初入力と同一のビデオ画像に融合させる。これは、エッジ表示である。このようなエッジ表示に「再表示」される画素は、ＬＥＤ又はＯＬＥＤ、及び対応する回路によって達成することができ、本質的に、黒枠により「代替」又は「占拠」されたビデオ画像を「再表示」することになるため、黒枠を「遮る」他の形態と異なっている（図１５参照）。
【００１５】
上記液晶ディスプレー以外、接合された他のディスプレーの黒枠の様子は、下記の通りである。
【００１６】
２．０．０ 背面投影（ＤＬＰ）ディスプレー
背面投影は、背部から投影するようにディスプレーにする。投影スクリーンが非常に薄いフレームの端面に固定されるので、背面投影の映像無しの黒辺ａがやや狭い（単辺１．５ｍｍ、接合された両辺３ｍｍ）（図１６参照）。
【００１７】
しかし、これらの黒辺が如何に狭くても、背面投影は、接合された後でも依然として黒枠がある。同時に、液晶表示に比べ、背面投影は、旧世代の表示技術に属し、例えば、低輝度、低解像度（ハイビジョン、スーパーハイビジョンを達成できない）、短寿命、高メンテナンス費用、厚く、後ろにメンテナンススペースを要する等の、多くの制限や欠陥がある。
【００１８】
３．０．０ プラズマ（ＰＤＰ）ディスプレー
プラズマは、「自発光」する画素表示技術であるので、これらの「自発光」する画素をディスプレーの「最も」エッジに作ることができる。しかし、これらの「自発光」画素は、依然として支持される必要があるため、これらの「自発光」する画素を支持する構造の厚さは、映像無しの黒辺（単辺１．５ｍｍ、接合された両辺３ｍｍ）となる。
同時に、プラズマ表示技術自体は、例えば、画素輝点、低解像度（ハイビジョン、スーパーハイビジョンを達成できない）、低輝度、短寿命、高価格、高電力消費等の制限や欠陥がある（図１７参照）。
【００１９】
４．０．０ ＬＥＤディスプレー
ＬＥＤディスプレーは、非常に普及している。しかし、ＬＥＤディスプレーは、一般的に、ハイビジョン（２Ｋ）表示を達成できず、スーパーハイビジョン（４Ｋ）表示を達成するのはより困難である。現在、ＬＥＤディスプレーの画素ピッチ（Ｐｉｔｃｈ）は１．９ｍｍを達成でき、デジタルハイビジョンの基準である１９２０×１０８０については、ＬＥＤディスプレーのサイズが２０５２×３６４８ｍｍ、つまり（１．９×１９２０）×（１．９×１０８０）を達成した場合しか、ハイビジョン（２Ｋ）のビデオ画像を完全に表示できないが、下記の問題がある。
ａ）ハイビジョンビデオが２．０×３．６ｍに表示されると、ビデオ画像が「ぼける」。
ｂ）２．０×３．６ｍのＬＥＤディスプレーに２００万粒の三色ＬＥＤ粒子を使用する必要があり、つまり、１平方メートルあたりに２７．７万粒の独立した三色ＬＥＤがある。これは、価格、消費電力、熱エネルギー、一貫性、信頼性、寿命に対しても、過大なチャレンジである。
【００２０】
５．０．０ ＯＬＥＤ
ＯＬＥＤは、新型の表示技術であるが、現在まだ実験段階にある。ＯＬＥＤによって数メートル、更に十数メートルの大型ディスプレーを作るには、時間がかかる。
【００２１】
以上をまとめると、黒辺つきの液晶、背面投影、プラズマの何れも、現時点で「シームレス」接合を達成できないのは確かであり、つまり、接合された後で黒枠が発生するのである。
【発明の概要】
【００２２】
本発明は、従来技術によるディスプレーは、大画面に接合されると、映像無しの黒枠が現れるという上記問題を解決するために、エッジ表示と液晶表示との集積案を提供し、アクティブ型のエッジ表示と液晶表示とが最初に入力されたビデオ画像を合わせて表示する上に、本発明の技術案を採用することで、「シームレス」接合が可能になる。アクティブ型は、液晶ディスプレーの黒辺幅面に、もともの黒枠の幅により「代替」され又は「占拠」されたビデオ内容を表示すると共に、液晶ディスプレーの黒辺幅面に表示されたビデオを液晶ディスプレーに表示されたビデオと共に入力されたようなビデオ画像になるように融合させて、「シームレス」の表示システムにする。黒辺幅面における表示ビデオは、表示ユニットＬＥＤ/ＯＬＥＤ及びその相応回路によって達成される。
【００２３】
本発明では、液晶ディスプレーの接合辺にエッジ表示ユニットが設けられ、エッジ表示ユニットにエッジ表示ユニットの表示面として光均一化層が設けられ、最初に入力されたビデオ画像を液晶ディスプレーの表示可能領域に合わせて表示することを特徴とするエッジ表示による液晶ディスプレーの接合辺消去装置を設計する。前記液晶ディスプレーの辺は、内層フレーム、外層フレームからなる複合構造である。前記光均一化層は、黒色、透明、薄型、長尺の光均一化構造体である。前記エッジ表示ユニットは、ＬＥＤ表示ユニットのフレキシブル回路であり、その上の光均一化層の内側の底辺が液晶ディスプレー複合フレームの内層フレームに接続され、その上の光均一化層の外側面が液晶ディスプレー複合フレームの外層フレームに接続される。エッジ表示ユニットのＬＥＤ表示ユニットのフレキシブル回路は、対応する駆動・制御回路とつながるように、バックライトを含む液晶パネルの正面からその背面に引導される。光均一化層の内外側のエッジに円弧が設けられる。光均一化層の内側の底部に一定のピッチでピンが設けられ、液晶ディスプレーの辺の内層フレームにスルーホールが等間隔で設けられ、光均一化層のピンが内層フレームのスルーホールを貫通して、内層フレームに熱圧着されるように接続される。光均一化層の内層の頂部にストッパーが設けられる。ストッパーは、エッジ表示ユニットのＬＥＤと内層フレームとの相対位置を位置決め、エッジ表示ユニットのＬＥＤの発光椎体の外部や下部の１２０°夾角の外に設けられる。光均一化層の外側の側面に凹溝が設けられる。この凹溝は、エッジ表示ユニットのＬＥＤの発光椎体の外部や下部の１２０°夾角の外に設けられる。内層フレーム、エッジ表示ユニットのＬＥＤフレキシブル回路、外層フレームの厚さの合計最大外径サイズは、光均一化層の表示境界よりも小さい。複合フレームの外層フレームと光均一化層の外側の凹溝とは、締め付けられるように接続される。内層フレーム、エッジ表示ユニットのＬＥＤフレキシブル回路、外層フレームのバックライトを含む液晶パネルにおける取り付け位置に同位スルーホールが設けられ、内層フレーム、光均一化層、エッジ表示ユニットのＬＥＤフレキシブル回路、外層フレームが同位スルーホール内に位置する固定ボルトによってバックライトを含む液晶パネルに固定される。ＬＥＤが放熱し更に外へ伝導できるように、エッジ表示ユニットのＬＥＤフレキシブル回路の背面は、内層フレームに密着する。エッジ表示ユニットのＬＥＤフレキシブル回路は、その導電領域が光均一化層により包まれて、絶縁状態となる。
【発明の効果】
【００２４】
エッジ表示は、面光源の形態で液晶ディスプレーの表示可能領域のビデオ画像と融合させ、エッジ表示におけるＬＥＤスポット光源を面光源に転換するこのような技術案によって、液晶表示のビデオ画像に好適に融合させる。広視野角７５°（液晶ディスプレーの法線との夾角）、つまり１５０°の範囲で接合された液晶ディスプレー（より広い視野角で見る場合、液晶ディスプレー自体が広視野角でより好適な表示特性を有することが期待される）を見ることができる。８０％以上のビデオ画像において、エッジ表示の存在が殆ど確認されない（他の２０％のビデオ画像については、接合する液晶ディスプレー同士により好適な一貫性が期待される）。エッジ表示が液晶ディスプレーより２ｍｍ程度高いが、２〜３ｍ以外から見る場合、この段差が１/１０００よりも小さいので、視覚障害にならなく、つまり殆ど確認されない。この高度で表示するエッジビデオは、もともと失ったビデオ画像を「再表示」することで、接合された画像が完璧になる。このようなエッジ表示を液晶表示に集積させる技術案を採用することで、シームレスの全体的なディスプレーとなり、運送、使用及び接合時の技術要求が大幅に低下し、このようなシームレスディスプレーの汎用性が高まる。
【図面の簡単な説明】
【００２５】
【図１】黒辺つきの液晶接合ディスプレーであり、中間に７ｍｍ程度の黒枠が表示される。
【図２】４つの切欠部及び十字形状つきの円であり、切欠部、十字形状の幅が黒枠と同じである、
【図３】４つの切欠部、十字形状及び幅が黒枠と同様であるビデオ画像が不完全に表示される様子である。
【図４】入力されたビデオ画像が「全部」表示されたが、最初のビデオ画像が「分かれ」た様子である。
【図５】代表的な液晶パネルを示す断面模式図である。
【図６】液晶ディスプレーの黒辺における反射鏡である。
【図７】液晶表示可能領域のエッジのビデオ画像が反射されて「二重表示」される様子である。
【図８】「円弧」つきの透明平板が液晶ディスプレーに貼り付けられる様子である。
【図９】「円弧」の弓柱が液晶ディスプレーに貼り付けられる様子である。
【図１０】「円弧」の底辺に「垂直」になって見る場合、液晶ディスプレーの黒枠がもとのよりも狭い様子である。
【図１１】「円弧」の底面の法線に対して３０°となって見る場合、液晶ディスプレーの黒枠がもとのよりも広い様子である。
【図１２】「円弧」の底面の法線に対して４５°となって見る場合、視角が大きいほど、黒枠が広くなる様子である。
【図１３】「円弧」の底面の法線に対して６０°になって見る場合、視角が大きいほど、黒枠が広くなる様子である。
【図１４】光学拡大平板である。
【図１５】本発明のエッジ表示と液晶表示との集積技術案を示す模式図である。
【図１６】背面投影ディスプレーを示す原理模式図である。
【図１７】プラズマディスプレーが接合された黒枠である。
【図１８】本発明の基本原理図である。
【図１９】本発明の内層フレーム、光均一化層、表示ユニット、外層フレームからなる構造を示す模式図である。
【図２０】本発明の光均一化層の内外側のエッジ円弧構造を示す模式図である。
【図２１】本発明のＬＥＤ表示ユニットのリード絶縁構造を示す模式図である。
【図２２】本発明の光均一化層内側の底部のピンを示す構造模式図である。
【図２３】本発明の光均一化層のピンが内層フレームスルーホールを貫通して、熱圧着されるように接続される様子を示す構造模式図である。
【図２４】本発明の光均一化層の内層の頂部のストッパーを示す構造模式図である。
【図２５】本発明の光均一化層の外側面の凹溝及び外層フレームと光均一化層とが締め付けられる様子を示す構造模式図である
【図２６】本発明の外層フレームと光均一化層とが締め付けられた後で光均一化層の表示境界面よりも小さい様子を示す模式図である。
【図２７】本発明の内層フレーム、光均一化層、ＬＥＤフレキシブル回路、外層フレームが液晶パネルに固定され、ＬＥＤフレキシブル回路が液晶パネルの背面に引導される様子を示す構造模式図である。
【図２８】本発明のＬＥＤエッジ表示ユニット及びそのフレキシブル回路を交換・メンテナンスする様子を示す構造模式図である。
【発明を実施するための形態】
【００２６】
以下、実施例及び添付図面に合わせて、本発明を詳しく説明する。
【００２７】
液晶ディスプレーの接合辺にエッジ表示ユニットが設けられ、エッジ表示ユニットにエッジ表示ユニットの表示面として光均一化層が設けられ、最初に入力されたビデオ画像を液晶ディスプレーの表示可能領域に合わせて表示することを特徴とするエッジ表示による液晶ディスプレーの接合辺消去装置である。前記液晶ディスプレーの辺は、内層フレーム、外層フレームからなる複合構造である。前記光均一化層は、黒色、透明、薄型、長尺の光均一化構造体である。前記エッジ表示ユニットは、ＬＥＤ表示ユニットのフレキシブル回路であり、その上の光均一化層の内側の底辺が液晶ディスプレー複合フレームの内層フレームに接続され、その上の光均一化層の外側面が液晶ディスプレー複合フレームの外層フレームに接続される。エッジ表示ユニットのＬＥＤ表示ユニットのフレキシブル回路は、対応する駆動・制御回路とつながるように、バックライトを含む液晶パネルの正面からその背面に引導される。光均一化層の内外側のエッジに円弧が設けられる。光均一化層の内側の底部に一定のピッチでピンが設けられ、液晶ディスプレーの辺の内層フレームにスルーホールが等間隔で設けられる。光均一化層のピンが内層フレームのスルーホールを貫通して、内層フレームに熱圧着されるように接続される。光均一化層の内層の頂部にストッパーが設けられる。ストッパーは、エッジ表示ユニットのＬＥＤと内層フレームとの相対位置を位置決め、エッジ表示ユニットのＬＥＤの発光椎体の外部や下部の１２０°夾角の外に設けられる。光均一化層の外側の側面に凹溝が設けられる。この凹溝は、エッジ表示ユニットのＬＥＤの発光椎体の外部や下部の１２０°夾角の外に設けられる。内層フレーム、エッジ表示ユニットのＬＥＤフレキシブル回路、外層フレームの厚さの合計最大外径サイズは、光均一化層の表示境界よりも小さい。複合フレームの外層フレームと光均一化層の外側の凹溝とは、締め付けられるように接続される。内層フレーム、エッジ表示ユニットのＬＥＤフレキシブル回路、外層フレームのバックライトを含む液晶パネルにおける取り付け位置に同位スルーホールが設けられ、内層フレーム、光均一化層、エッジ表示ユニットのＬＥＤフレキシブル回路、外層フレームが同位スルーホール内に位置する固定ボルトによってバックライトを含む液晶パネルに固定される。ＬＥＤが放熱し更に外へ伝導できるように、エッジ表示ユニットのＬＥＤフレキシブル回路の背面は、内層フレームに密着する。エッジ表示ユニットのＬＥＤフレキシブル回路は、その導電領域が光均一化層により包まれて、絶縁状態となる。
【００２８】
本発明では、新しい黒辺を増やしたり、新らしい映像無し領域を発生させたりしないように、液晶ディスプレーの黒辺の幅面にエッジ表示を増やした、つまり、液晶ディスプレーのもとの黒辺の幅面にエッジ表示を増やした「全体」の最大外径サイズの投影平面内における如何なる部分、及び液晶表示平面の半球状視角の各方向にも、映像無し領域がない表示システムであり、また、「全体」自体が「シームレス」の表示システムであることを特徴とするエッジ表示を２〜４ｍｍ程度のサイズの液晶ディスプレーの黒枠の幅面に集積させる表示システムを提案する。また、この提案では、エッジ表示が下記の特徴を更に有する。エッジ表示の画素と液晶表示の画素と対応させるように、エッジ表示をバックライトを含む液晶パネルに正確に位置決めるので、エッジ表示は、最初に入力されたビデオ画像を液晶表示に合わせて表示することができる。また、エッジ表示は、バックライトを含む液晶パネルに合わせて「全体」として集積されるので、全体的に運送され、取り付けられ、接合されるものである。同時に、操作・使用上、エッジ表示は、黒辺つきの液晶ディスプレーと実質的な差異がなく（表示効果を含まず）、黒辺つきの液晶ディスプレーを接合させてから、別に素子を貼り付けることで達成されるものではない。そして、エッジ表示は、同様に、もとの黒辺のバックライトを含む液晶パネルに液晶ガラスを保持する特性を有し、同等の強度、剛性及び安全度を有する（液晶ガラスがその原因で破損することはない）。なお、入力ビデオが黒色の画像元素を表現しようとする場合、エッジ表示の相応位置にこのような黒色元素を表示することができる。なお、エッジ表示における回路は、十分に絶縁できる。なお、エッジ表示の画素表示ユニットのＬＥＤは、放熱し更に外へ伝導できる。なお、エッジ表示におけるＬＥＤフレキシブル回路は、対応する駆動・制御回路とつながるようにバックライトを含む液晶パネルの正面からその背面に引導される。なお、エッジ表示における画素表示ユニットのＬＥＤ及びそのフレキシブル回路を交換・メンテナンスすることができる。
【００２９】
エッジ表示における画素表示ユニットとして、フレキシブル回路に配置されたＬＥＤが用いられる。その配置形態としては、ＬＥＤ画素の設計密度に応じて、３原色パッケージＬＥＤ粒子をフレキシブル回路に半田付けてもよいし、ＬＥＤ３原色チップを直接結合させて回路基板（Ｃｈｉｐ  ｏｎ  Ｂｏａｒｄ；ＣＯＢ）パッケージングしてもよい。パッケージＬＥＤ粒子をフレキシブル回路に半田付ける場合、エッジ表示の画素ピッチは、１〜１．５ｍｍにもなる。ＣＯＢを使用する場合、その表示の画素ピッチは１ｍｍより小さくすることもでき、接合用の液晶ディスプレーの画素ピッチに接近する。パッケージＬＥＤ粒子が１〜１．５ｍｍである画素ピッチであっても、液晶ディスプレーが２×２に接合された後で、実際に表示する画素も液晶ディスプレーの画素表示効果と大体一致する（接合された液晶ディスプレーの画素ピッチは、一般的に、０．７ｍｍ程度である）。
【００３０】
本明細書でいうパッケージ型又はＣＯＢ型のＬＥＤ、ＯＬＥＤを、まとめて表示ユニットＬＥＤと呼ぶ。同時に、プラズマ（ＰＤＰ）が液晶ディスプレーと同様に黒辺を有するので、本発明の技術案は、プラズマ（ＰＤＰ）に実施されてもよい。本明細書でいう液晶ディスプレーに本発明を実施するとは、プラズマ（ＰＤＰ）に実施する場合を含み、まとめて液晶ディスプレーと呼ぶ。
【００３１】
本発明は、エッジ表示を達成するために、上記特徴を有する技術案を提案する。図１８、図１９に示すように、エッジ表示は、内層フレーム１、光均一化層２、外層フレーム３からなり、その内に表示ユニットＬＥＤ及びそのフレキシブル回路４が置かれる。図２０に示すように、光均一化層が表示ユニットのＬＥＤに被せられており、ＬＥＤの表示画素が光均一化層の表示面で同輝度となるように、光均一化層の内外側のエッジに円弧５が設けられる。光均一化層は、黒色、透明、薄く、長尺の光均一化構造体からなるので、最初の入力ビデオが黒色元素を表現する場合に黒色を表示する。図２１に示すように、光均一化層が絶縁材料からなり、表示ユニットＬＥＤ回路の露出する部分を包むので、ＬＥＤリード（及びはんだ接合部）６は、絶縁である。図２２に示すように、光均一化層の内側の底部に一定のピッチでピン７が設けられる。図２３に示すように、複合フレームの内層フレームにスルーホールが等間隔で設けられる。光均一化層のピンがこの内層フレームのスルーホールを貫通して、熱圧着８されるように接続されることで、内層フレームが完全に光均一化層の表示界面内にあるようになり、光均一化層と内層フレームとの相対位置が位置決められる。図２４に示すように、光均一化層の内層の頂部に一連のストッパー９が設けられる。これらのストッパーは、ＬＥＤのアレイ方向に沿って適当な密度で分布するように、ＬＥＤ１２０°発光椎体の外部や下部に設けられており、表示ユニットＬＥＤと光均一化層との相対位置、及びＬＥＤと内層フレームとの相対位置を位置決める。図２５に示すように、光均一化層の外側面に凹溝１０が設けられる。この凹溝は、ＬＥＤ画素の表示を遮蔽しないように、ＬＥＤ１２０°発光椎体の外部や下部に設けられる。図２５に示すように、複合フレームの外層フレームと光均一化層の凹溝とは、締め付けられる。図２６に示すように、複合フレームの外層フレームは、光均一化層の外側の凹溝と締め付けられた後で、最大外径サイズが光均一化層により定められた表示外縁サイズ１２よりも小さいので、接合されたディスプレー本体の間に、光均一化層は、エッジ同士で十分に噛み合う。図２７に示すように、内層フレーム、ＬＥＤフレキシブル回路、外層フレームの液晶パネルにおける取り付け位置に同位スルーホールが設けられるので、内層フレーム、光均一化層、ＬＥＤフレキシブル回路、外層フレームは、固定ボルト１３によって液晶パネル１７に固定され、表示ユニットＬＥＤ画素と液晶ディスプレー表示画素との位置対応関係が位置決められ、光均一化層表示面及びＬＥＤ表示面がそれぞれ液晶表示面に平行であるようになる。エッジ表示である光均一化層によって、液晶ディスプレーのもとの黒辺の幅は完全に被せられる。液晶パネル１７に液晶ガラスを保持する特性を有する。図２７に示すように、内層フレームと光均一化層とを圧着し、外層フレームと光均一化層とを締め付けた後で、表示ユニットＬＥＤのフレキシブル回路１４を、対応する駆動・制御回路１６と接続するように、液晶パネル１７の正面から液晶パネル１７の背面に引導する。表示ユニットＬＥＤは、ＬＥＤが内層フレームを介して主要な熱エネルギーを伝導できるように（注意：ＬＥ��は、主に、その背部によって熱を伝導する）、全てのＬＥＤ表示面が光均一化層と等高で、同輝度となるように、光均一化層のストッパーによって内層フレームに「押さえ」られる。図２８の１５部に示すように、複合フレームの外層フレームは、外層フレームを取り外し、表示ユニットＬＥＤ及びそのフレキシブル回路を交換・メンテナンスできるように締め付けられる。
【符号の説明】
【００３２】
１：内層フレーム
２：光均一化層
３：外層フレーム
４：フレキシブル回路
５：円弧
６：ＬＥＤリード
７：ピン
８：熱圧着
９：ストッパー
１０：凹溝
１１：締め付け
１２：表示外縁サイズ
１３：固定ボルト
１４：フレキシブル回路
１６：駆動・制御回路
１７：液晶パネル
【図１】
0006348975.tif 000002
【図２】
0006348975.tif 000003
【図３】
0006348975.tif 000004
【図４】
0006348975.tif 000005
【図５】
0006348975.tif 000006
【図６】
0006348975.tif 000007
【図７】
0006348975.tif 000008
【図８】
0006348975.tif 000009
【図９】
0006348975.tif 000010
【図１０】
0006348975.tif 000011
【図１１】
0006348975.tif 000012
【図１２】
0006348975.tif 000013
【図１３】
0006348975.tif 000014
【図１４】
0006348975.tif 000015
【図１５】
0006348975.tif 000016
【図１６】
0006348975.tif 000017
【図１７】
0006348975.tif 000018
【図１８】
0006348975.tif 000019
【図１９】
0006348975.tif 000020
【図２０】
0006348975.tif 000021
【図２１】
0006348975.tif 000022
【図２２】
0006348975.tif 000023
【図２３】
0006348975.tif 000024
【図２４】
0006348975.tif 000025
【図２５】
0006348975.tif 000026
【図２６】
0006348975.tif 000027
【図２７】
0006348975.tif 000028
【図２８】
0006348975.tif 000029